(57)【要約】【課題】  折畳未使用状態の米袋内部に米を投入して小売り用の米袋とする際の作業負担を低減し得る米袋を提供する。【解決手段】  袋本体１の上部側に設けられた上方開口部を紐にて結束して閉じて形成される取手部と、袋本体１の底部側に設けられると共に米を投入可能な下方開口部５と、下方開口部５を貼着にて閉鎖する閉鎖底蓋部６と、を備える。【選択図】  図４
2006199370.tif 000002
【特許請求の範囲】
【請求項１】
袋本体（１）の上部側に設けられた上方開口部（２）を紐（３）にて結束して閉じて形成される取手部（４）と、該袋本体（１）の底部側に設けられると共に米を投入可能な下方開口部（５）と、該下方開口部（５）を貼着にて閉鎖する閉鎖底蓋部（６）と、を備えることを特徴とする米袋。
【請求項２】
袋本体（１）の上部側に設けられた上方開口部（２）を閉じて形成される取手部（４）と、予め短紐（37)(37）で結束部（35）が形成されると共に上記取手部（４）に付設される後付け結束部材（38）と、該袋本体（１）の底部側に設けられると共に米を投入可能な下方開口部（５）と、該下方開口部（５）を貼着にて閉鎖する閉鎖底蓋部（６）と、を備えることを特徴とする米袋。
【請求項３】
上記閉鎖底蓋部（６）は、米を支持する補強支持蓋部（14）と、展開使用状態で該補強支持蓋部（14）に外側から貼着されて上記下方開口部（５）を塞ぐ外蓋部（19）と、を有し、  
上記補強支持蓋部（14）は、上記袋本体（１）の下面側全体に広がる支持面部（20）と、該支持面部（20）の所定部分をコの字状に切欠いた部分の内側に形成される開閉自在な折曲げ扉（21）と、を有する請求項１又は２記載の米袋。
【請求項４】
上記閉鎖底蓋部（６）は、底面部（７）と、該底面部（７）の外周縁に連設されると共に上記下方開口部（５）を形成する内周壁面（８）に貼着領域部（９）を残して固着される側面部（10）と、を有し、
上記貼着領域部（９）と対向する上記内周壁面（８）との間に、上記米を投入可能であると共に該米投入後に該貼着領域部（９）と対向する該内周壁面（８）との貼着にて閉鎖される隙間部（11）を形成した請求項１又は２記載の米袋。
【請求項５】
上記閉鎖底蓋部（６）は、谷折り状に折り畳まれる上記袋本体（１）の袋側面（12）の動きに追従して折畳み可能とするための折曲溝部（13）を有する請求項４記載の米袋。  
【請求項６】
上記袋本体（１）と略同一寸法のプラスチック製内袋（33）を、上記袋本体（１）内部に設けて二重袋構造とし、かつ、上記プラスチック製内袋（33）は、上部側が閉鎖され下部側が内袋開口部（31）を有するように上下逆に上記袋本体（１）内部に設けられている請求項１，２，３，４又は５記載の米袋。
【発明の詳細な説明】
【技術分野】
【０００１】
本発明は、米袋に関する。
【背景技術】
【０００２】
一般に、小売りされている米は紙や樹脂フィルムからなる米袋に封入されて販売されている。そして、その中には、米袋に設けられた上方開口部を紐にて結束して閉じる構造の米袋も使用されている（例えば、特許文献１参照）。
特許文献１には、筒状の側壁の下縁に円形の底壁を縫着させた形態の袋本体の上部に水平方向に紐の挿通筒を設け、米を内部に投入した後、紐で上方開口部を結束して閉じる米袋が開示されている。
米袋の上方開口部は、小売りされた米袋を購入した客が、家で米袋内部の米を他の容器に移すときに使用するために設けられている。また、紐で上方開口部を閉じる構造とすることによって、米袋内部へのゴミの侵入を防止すると共に米袋の上方開口部の開閉を繰り返し行なうことができる。
このような米袋は折畳未使用状態で流通され、流通過程に於て、米屋や卸業者等によって内部に米が投入される。
【特許文献１】特開平１０−２７８９４２号公報
【発明の開示】
【発明が解決しようとする課題】
【０００３】
しかしながら、上記特許文献１に開示されたような構造の米袋では、米屋や卸業者等の業者は、折畳未使用状態の米袋の上方開口部から米を内部に投入した後、上方開口部を紐にて結束して閉じることによって小売り用の米袋とする必要があった。この上方開口部を紐にて結束して閉じる作業は、機械化することが困難であったので、人力にて作業を行なう必要があった。この作業は、人が行なうには手間がかかるものであった。その結果、従来では、米袋内部に米を投入する業者の作業負担が大きなものとなり、作業時間や人件費が増大する要因となっていた。
そこで、本発明は、折畳未使用状態の米袋内部に米を投入して小売り用の米袋とする際の作業負担を低減し得る米袋を提供することを目的とする。
【課題を解決するための手段】
【０００４】
上述の目的を達成するために、本発明に係る米袋は、袋本体の上部側に設けられた上方開口部を紐にて結束して閉じて形成される取手部と、該袋本体の底部側に設けられると共に米を投入可能な下方開口部と、該下方開口部を貼着にて閉鎖する閉鎖底蓋部と、を備えるものである。
また、袋本体の上部側に設けられた上方開口部を閉じて形成される取手部と、予め短紐で結束部が形成されると共に上記取手部に付設される後付け結束部材と、該袋本体の底部側に設けられると共に米を投入可能な下方開口部と、該下方開口部を貼着にて閉鎖する閉鎖底蓋部と、を備えるものである。
また、上記閉鎖底蓋部は、米を支持する補強支持蓋部と、展開使用状態で該補強支持蓋部に外側から貼着されて上記下方開口部を塞ぐ外蓋部と、を有し、上記補強支持蓋部は、上記袋本体の下面側全体に広がる支持面部と、該支持面部の所定部分をコの字状に切欠いた部分の内側に形成される開閉自在な折曲げ扉と、を有する。
【０００５】
また、上記閉鎖底蓋部は、底面部と、該底面部の外周縁に連設されると共に上記下方開口部を形成する内周壁面に貼着領域部を残して固着される側面部と、を有し、上記貼着領域部と対向する上記内周壁面との間に、上記米を投入可能であると共に該米投入後に該貼着領域部と対向する該内周壁面との貼着にて閉鎖される隙間部を形成したものである。
また、上記閉鎖底蓋部は、谷折り状に折り畳まれる上記袋本体の袋側面の動きに追従して折畳み可能とするための折曲溝部を有する。
また、上記袋本体と略同一寸法のプラスチック製内袋を、上記袋本体内部に設けて二重袋構造とし、かつ、上記プラスチック製内袋は、上部側が閉鎖され下部側が内袋開口部を有するように上下逆に上記袋本体内部に設けられている。
【発明の効果】
【０００６】
本発明に係る米袋によれば、従来、折畳未使用状態の米袋内部に米を投入して小売り用の米袋とする際に、米袋の紐を結束する作業を行なう必要があった業者の作業負担を低減することができ、作業時間の短縮と人件費の削減を図ることができる。
また、取手部を形成する作業を行なう業者は、紐を結束する作業が省略される分、作業負担が低減するので、作業時間の短縮と人件費の削減を図ることができる。
また、ガイドの機能を有する折曲げ扉によって、折畳未使用状態の米袋内部に米を投入して小売り用の米袋とする際に、米袋の外へ米がこぼれることがなく、より容易に作業を行なうことができる。  
また、米袋が折畳未使用状態である場合に、米袋の厚みを小さくすることができ、米袋が嵩張らないようにすることができる。
また、水分が米に付着したり、逆に米が過度に乾燥するのを防止することができ、米の品質を保持することができる。
【発明を実施するための最良の形態】
【０００７】
図１及び図２に於て、本発明の第一の実施の形態に係る米袋の使用状態を示す。この第一実施形態に係る米袋は、一般家庭で使用される米28を収納するための小売り用のものである。また、第一実施形態に係る米袋は、小売り用の中でも、家で米袋内の米28を他の容器に移すときに使用する上方開口部２を、紐３にて閉じる構造のものを示している。
この米袋は、折畳未使用状態で流通される。そして、流通過程に於て、米屋や卸業者等の業者によって、（後述のように）米が投入される。
【０００８】
図３は、第一実施形態に係る折畳未使用状態の米袋を示す斜視図である。また、図４は、米袋の底部の要部拡大斜視図である。この米袋は、図１〜図４に示すように、角筒状の袋本体１の上部側に設けられた上方開口部２を紐３にて結束して閉じて形成される取手部４と、袋本体１の底部側に設けられると共に米を投入可能な下方開口部５と、下方開口部５を貼着にて閉鎖する閉鎖底蓋部６と、を備える。
【０００９】
袋本体１は、例えばクラフト紙等の紙で形成されたものであり、折畳未使用状態では、袋側面12が谷折り状に折り畳まれる。また、袋本体１の袋前面24側下方には、米の品質を確認するために内部が見えるように、袋本体１を長円形に切欠くことによって窓部25が形成されている。この窓部25の位置には、米袋内部の米が外部にこぼれないように、透明又は半透明のフィルム部材34が付設されている。
取手部４は、業者が米袋を納入した段階において、予め形成された状態となっている。また、取手部４は、この部分を持って米袋の持ち運びが容易となるような形状に形成されている。取手部４の形状は、袋本体１の上部の折曲げ方や、袋本体１の上部に接着にて水平方向に取り付けられた紐３の結び方を変更することによって、種々、設定することができる。第一実施形態では、図１に示すように、袋本体１の上部を三角山状となるように折り曲げると共に、紐３を蝶結びにして、上方開口部２を閉じた場合を例示している。
また、取手部４は、予め紐３が取り付けられた袋本体１にて形成されており、取手部４を形成する際に、紐３を結束して結束部17を形成するようになっている。また、この結束部17が形成された状態では、紐３は、ループ状となっている（図14参照）。
【００１０】
図３〜図５に於て、閉鎖底蓋部６は、米を支持する補強支持蓋部14と、展開使用状態で補強支持蓋部14に外側から貼着されて下方開口部５を塞ぐ外蓋部19と、を有している。
補強支持蓋部14は、例えばボール紙等の厚手の紙にて形成され、折畳未使用状態で折り畳まれると共に展開使用状態で相互に係合されて米支持面15を形成する一対の係合壁面部16，16を有している。また、補強支持蓋部14は、図４に示すように、係合壁面部16，16に連設されると共に袋本体１の（展開使用状態で矩形状の）下方開口部５を形成する内周壁面８に沿って接着された側面部22を有している。
【００１１】
より詳しく説明すると、各係合壁面部16は、図４及び図５に示すように、袋側面12側に位置する側面部22とつながる三角状部29と、係合部18と、を有している。谷折り状に折り畳まれる袋本体１の袋側面12の動きに追従して三角状部29が折曲げ線Ａに沿って折曲げられて、各係合壁面部16は、袋本体１の内周壁面８に沿うように折り畳まれる構造となっている。また、展開使用状態では、係合部18が相手の係合壁面部16に係合される構造となっている。
【００１２】
外蓋部19は、袋本体１と同じクラフト紙等の紙で形成され、略矩形状とされている。また、外蓋部19は、折畳未使用状態では、予め、四辺のうち一辺側が袋本体１の袋後面26と（接着等にて）接続された状態とされている。
また、外蓋部19には、展開使用状態で補強支持蓋部14（係合壁面部16，16）と対向する側に、外蓋部19のほぼ全面に渡って、貼着領域部９が設けられている。この貼着領域部９には、粘着両面テープ等の粘着層を有する部材が付設されている。この貼着領域部９は、折畳未使用状態では、剥離紙27にて表面が保護されているが、展開使用状態では、補強支持蓋部14（係合壁面部16，16）のほぼ全面に渡って貼着されて下方開口部５を完全に塞ぐように構成されている。展開使用状態では、補強支持蓋部14と外蓋部19は貼着により一体状となって、米袋に収納された米の重量を支える構造となっている。
【００１３】
次に、図６及び図７に於て、本発明の第二の実施の形態に係る米袋を示す。第二実施形態に係る米袋は、第一実施形態と比較して、閉鎖底蓋部６の構造が異なる場合を例示している。この第二実施形態に係る閉鎖底蓋部６は、例えば曲げが容易なプラスチック製であり、底面部７と、底面部７の外周縁に連設されると共に下方開口部５を形成する内周壁面８に貼着領域部９を残して固着される側面部10と、を有している。また、第二実施形態に係る米袋は、貼着領域部９と対向する内周壁面８との間に、米を（図７の矢印Ｂ方向から）投入可能であると共に米投入後に貼着領域部９と対向する内周壁面８との貼着にて閉鎖される隙間部11を形成する。
貼着領域部９には、粘着両面テープ等の粘着層を有する部材が付設されている。この貼着領域部９は、折畳未使用状態では、剥離紙（図示省略）にて表面が保護されているが、展開使用状態では、剥離紙を剥がして、貼着領域部９と対向する内周壁面８に貼着領域部９の部分を貼着して隙間部11を閉じるようになっている。
【００１４】
また、第二実施形態に係る閉鎖底蓋部６は、谷折り状に折り畳まれる袋本体１の袋側面12の動きに追従して折畳み可能とするための折曲溝部13を有している。この折曲溝部13は、例えば円弧溝状となっており、第二実施形態では、米袋の左右方向へ直線状に延びるように、一本設けられている。折畳未使用状態では、閉鎖底蓋部６は、この折曲溝部13を境として２つ折りに折り畳まれる構造となっている。
【００１５】
次に、図８及び図９に於て、本発明の第三の実施の形態に係る米袋を示す。第三実施形態に係る米袋は、第二実施形態と比較して、閉鎖底蓋部６に設けられた折曲溝部13の形状が異なる場合を例示している。即ち、第二実施形態では、折曲溝部13は、閉鎖底蓋部６に左右方向へ直線状に延びるように一本設けられていたが、第三実施形態では、折曲溝部13は、左右方向へ延びる直線部13ａと、直線部13ａの左右両端に設けられた三叉部13ｂと、を有する。
折畳未使用状態では、閉鎖底蓋部６は、この折曲溝部13を境として図９に示すような形状に折り畳まれる。
【００１６】
次に、図10に於て、本発明の第四の実施の形態に係る米袋を示す。第四実施形態に係る米袋は、第一実施形態と比較して、閉鎖底蓋部６の形状が異なる場合を例示している。この閉鎖底蓋部６は、米を支持する補強支持蓋部14と、展開使用状態で補強支持蓋部14に外側から貼着されて下方開口部５を塞ぐ外蓋部19と、を有している。
補強支持蓋部14は、例えばボール紙等の厚手の紙にて形成されている。この補強支持蓋部14は、袋本体１の下面側全体に広がる矩形状の支持面部20と、支持面部20の所定部分をコの字状に切欠いた部分の内側に形成される開閉自在な折曲げ扉21と、を有している。
折曲げ扉21は、支持面部20の左右中央位置に設けられている。折曲げ扉21は、コの字状に切欠いた切欠部の両端を結ぶ線を境として、支持面部20に折り目をつけて折曲げることによって、開閉自在な扉としたものである。この折曲げ扉21は、揺動先端縁30が袋後面26側に向くように、形成されている。
【００１７】
外蓋部19は、袋本体１と同じクラフト紙等の紙で形成され、矩形状となっている。外蓋部19は、折畳未使用状態では、予め、四辺のうち一辺側が袋本体１の袋後面26と（接着等にて）接続された状態とされている。
また、外蓋部19には、展開使用状態で補強支持蓋部14と対向する側に、外蓋部19のほぼ全面に渡って、貼着領域部９が設けられている。この貼着領域部９には、粘着両面テープ等の粘着層を有する部材が付設されている。この貼着領域部９は、折畳未使用状態では、剥離紙27にて表面が保護されているが、展開使用状態では、補強支持蓋部14のほぼ全面に渡って貼着されて下方開口部５を完全に塞ぐように構成されている。展開使用状態では、補強支持蓋部14と外蓋部19は貼着により一体状となって、米袋に収納された米の重量を支える構造となっている。
【００１８】
次に、図11に於て、本発明の第五の実施の形態に係る米袋を示す。第五実施形態では、第一〜第四実施形態と異なり、袋本体１と略同一寸法のプラスチック製内袋33を、袋本体１内部に設けて二重袋構造とした場合を例示している。また、第五実施形態では、第四実施形態と同じ構造の閉鎖底蓋部６を有する米袋が二重袋構造となっている場合を例示している。
プラスチック製内袋33は、透明又は半透明であって、例えば厚さ60μm 〜70μm の材質にて形成される。このプラスチック製内袋33は、上部側が閉鎖され（この閉鎖された部分を内袋閉鎖部32とする）下部側が内袋開口部31を有するように、上下逆に袋本体１内部に設けられている。
米袋の折畳未使用状態では、折曲げ扉21を開状態とした際の開口部（下方開口部５）からプラスチック製内袋33の一部が外側へ引き出されることによって、内袋開口部31が外側へ露出した状態にある。
なお、第一実施形態では、米の品質を確認するための窓部25の位置に透明又は半透明のフィルム部材34が付設されていたが（第三〜第四実施形態についても同様）、第五実施形態では、この部材を、透明又は半透明のプラスチック製内袋33にて兼用することにしている。また、プラスチック製内袋33は、窓部25の周囲部分で、袋本体１の内部側と接着されており、米袋内部の米が外部にこぼれないようにされている。
【００１９】
次に、図12, 図13，図15, 図16に於て、本発明の第六の実施の形態に係る米袋を示す。第六実施形態に係る米袋は、袋本体１の上部側に設けられた上方開口部２を閉じて形成される取手部４と、予め２本の短紐37，37で結束部35が形成されると共に取手部４に付設される後付け結束部材38と、袋本体１の底部側に設けられると共に米を投入可能な下方開口部５と、下方開口部５を貼着にて閉鎖する閉鎖底蓋部６と、を備えている。即ち、取手部４を形成する際に紐３を結束していた第一実施形態と異なり、第六実施形態では、紐が取り付けられていない袋本体１にて取手部４を先に形成し、かつ、取手部４の形成後に（既に結束部35が形成された）後付け結束部材38を付設する構成となっている。
【００２０】
より具体的に述べると、図12に示すように、取手部４は、袋本体１の上部を三角山状となるように折り曲げて形成され、２つの三角部39，39を有している。
後付け結束部材38を形成する２本の短紐37，37は、夫々、一方の端部の片面に接着面36を有している。そして、この接着面36に接着剤を塗布して、取手部４の三角部39，39に接着するようになっている。
そして、取手部４に後付け結束部材38を付設した状態では、図13に示すような構造となる。これは、図14に示す第一実施形態と比較して、紐がループ状となっていない点で、相違している。しかしながら、外観上では、第六実施形態と第一実施形態とは図１に示すような同一形状となっている。
【００２１】
また、閉鎖底蓋部６は、図15に示すように、第四実施形態とほぼ同様の構造であるが、外蓋部19及び補強支持蓋部14が例えばボール紙等の一枚の厚手の紙にて一体的に形成されているという点が、第四実施形態と相違している。また、第四実施形態と同様に、補強支持蓋部14は、袋本体１の下面側全体に広がる矩形状の支持面部20や、支持面部20の所定部分をコの字状に切欠いた部分の内側に形成される開閉自在な折曲げ扉21等を有している。  閉鎖底蓋部６は、図16に示すように、袋本体１の下端部に形成された貼着面部40，41，42，43に外蓋部19及び補強支持蓋部14の対応する部分を貼着することによって、袋本体１に付設されている。
また、外蓋部19及び補強支持蓋部14には、（展開使用状態で）相互に密着する外蓋部19及び補強支持蓋部14のほぼ全面に渡って、粘着層を有する貼着領域部９が設けられている。貼着領域部９は、折畳未使用状態では、剥離紙27にて表面が保護されている。しかしながら、展開使用状態では、外蓋部19のほぼ全面に渡る貼着領域部９と補強支持蓋部14のほぼ全面に渡る貼着領域部９が相互に貼着されて、下方開口部５を完全に塞ぐように構成されている。つまり、展開使用状態では、補強支持蓋部14と外蓋部19は貼着により一体状となって、米袋に収納された米の重量を支える構造となっている。
なお、第六実施形態の閉鎖底蓋部６は、外蓋部19と補強支持蓋部14とを一体状となるように形成し、かつ、下方開口部５を塞ぐための貼着領域部９を閉鎖底蓋部６片面側のほぼ全面に渡って形成するので、外蓋部19と補強支持蓋部14とを別体とする場合と比較して、より作成容易なものとなっている。
【００２２】
次に、図１〜図４を参照して、上述した第一実施形態に係る米袋の使用説明を行なう。  米袋は、図３に示すような折畳未使用状態で流通されている。そして、その流通過程に於て、米屋や卸業者等によって、折畳未使用状態の米袋内部に米が投入される。
具体的にこのときの作業を説明すると、まず、図４に示すように、折り畳まれた米袋を広げて（図４の矢印Ｃ方向）、下方開口部５から内部に米28を投入する。
そして、補強支持蓋部14の一対の係合壁面部16，16を、相互に係合させて米支持面15を形成する。
その後、外蓋部19の剥離紙27を剥がして、外蓋部19の貼着領域部９の部分を、補強支持蓋部14（係合壁面部16，16）の外側から補強支持蓋部14（係合壁面部16，16）のほぼ全面に渡って貼着して下方開口部５を完全に塞ぐ。
これにより、米28が米袋に収納された状態となる。そして、その状態で、小売り用の米袋として米屋の店頭に並べられる。
【００２３】
そして、米屋で米28が収納された米袋を購入した客は、取手部４を持って、家まで米袋を運ぶ。
家で米袋内部の米を取り出したり他の容器に移すときには、その都度、紐３を緩めて上方開口部２から米を取り出した後、紐３で上方開口部２を結束して閉じる作業を行なう。これにより、米袋内部へのゴミ（虫）の侵入を防止して、米の品質が低下するのを防止する。
【００２４】
次に、図11を参照して、上述した第五実施形態に係る米袋の使用説明を行なう。
米袋は、折畳未使用状態で流通されている。そして、その流通過程に於て、米屋や卸業者等によって、折畳未使用状態の米袋内部に米が投入される。
具体的にこのときの作業を説明すると、まず、折り畳まれた米袋を広げつつ、プラスチック製内袋33の内袋開口部31から米を米袋内部に投入する。そして、プラスチック製内袋33のうち外側に露出した部分を丸めて（又は折り畳んで）米袋内部に押し込む。その後、折曲げ扉21を閉状態とし、剥離紙27を剥がして、補強支持蓋部14のほぼ全面に渡って外蓋部19を貼着して下方開口部５を完全に塞ぐ。
これにより、米が米袋に収納された状態となる。そして、その状態で、小売り用の米袋として米屋の店頭に並べられる。
【００２５】
そして、米屋で米が収納された米袋を購入した客は、取手部４（図１参照）を持って、家まで米袋を運ぶ。
家で米袋内部の米を最初に取り出したり最初に他の容器に移すときには、紐３（図１参照）を緩めて上方開口部２（図２参照）からプラスチック製内袋33の内袋閉鎖部32を露出させると共に内袋閉鎖部32を破いてプラスチック製内袋33の内部の米を取り出す。米を取り出した後は、紐３で米袋の上方開口部２を結束して閉じる。
内袋閉鎖部32を破いた後、米袋内部の米を取り出したり他の容器に移す場合には、その都度、紐３を緩めて上方開口部２から米を取り出した後、紐３で上方開口部２を結束して閉じる作業を行なう。
【００２６】
なお、本発明は、上述の実施の形態に限定されず、本発明の要旨を逸脱しない範囲で設計変更可能である。例えば、袋本体１は、クラフト紙等の紙で形成されたものに限るのではなく、布製とするも好ましい。
また、補強支持蓋部14は、ボール紙等の厚手の紙にて形成されたものに限るのではなく、プラスチックにて形成するも好ましい。
また、取手部４は、袋本体１の上部を三角山状となるように折り曲げると共に紐３を蝶結びにして上方開口部２を閉じたものに限るのではなく、図17に示すような形状とするも好ましい。
【００２７】
また、閉鎖底蓋部６（外蓋部19）は、予め袋本体１と接続されたものに限るのではなく、袋本体１と別体とするも自由である。
また、係合壁面部16，16の形状は、図５に示したものに限るのではなく、他の形状とするも自由である。また、係合壁面部16，16の数を変更するも自由である。
また、折曲げ扉21の大きさや数は、図10に示したものに限るのではなく、他の大きさや数に変更するも自由である。
また、折曲溝部13は、円弧溝状となっているものに限るのではなく、三角溝状とするも好ましい。
また、第五実施形態では、第四実施形態と同じ構造の閉鎖底蓋部６を有する米袋が二重袋構造となっている場合を例示したが、本発明はこれに限らず、第一〜第三実施形態及び第六実施形態と同じ構造の閉鎖底蓋部６を有する米袋を二重袋構造とするも好ましい。
また、第一〜第四実施形態の閉鎖底蓋部６の構造や第五実施形態の二重袋構造を、取手部４の形成後に後付け結束部材38を付設する第六実施形態に適用するも好ましい。
【００２８】
以上のように本発明に係る米袋は、袋本体１の上部側に設けられた上方開口部２を紐３にて結束して閉じて形成される取手部４と、袋本体１の底部側に設けられると共に米を投入可能な下方開口部５と、下方開口部５を貼着にて閉鎖する閉鎖底蓋部６と、を備えるので、折畳未使用状態の米袋内部に米を投入する際に、上方開口部２を紐３にて結束して閉じる作業を行なわなくて済むように構成することできる。これにより、米屋や卸業者等の業者は、予め紐３が結束された折畳未使用状態の米袋を納入することによって、米を米袋内部に投入して小売り用の米袋とする作業を容易に行なうことができる。その結果、従来、米袋の紐３を結束する必要があった業者の作業負担を低減することができ、作業時間の短縮と人件費の削減を図ることができる。
【００２９】
また、袋本体１の上部側に設けられた上方開口部２を閉じて形成される取手部４と、予め短紐37，37で結束部35が形成されると共に取手部４に付設される後付け結束部材38と、袋本体１の底部側に設けられると共に米を投入可能な下方開口部５と、下方開口部５を貼着にて閉鎖する閉鎖底蓋部６と、を備えるので、折畳未使用状態の米袋内部に米を投入する際に、上方開口部２を紐（短紐37，37）にて結束して閉じる作業を行なわなくて済むように構成することできる。これにより、米屋や卸業者等の業者は、予め紐（短紐37，37）が結束された折畳未使用状態の米袋を納入することによって、米を米袋内部に投入して小売り用の米袋とする作業を容易に行なうことができる。その結果、従来、米袋の紐（短紐37，37）を結束する必要があった業者の作業負担を低減することができ、作業時間の短縮と人件費の削減を図ることができる。
また、取手部４を形成する際に紐（短紐37，37）を結束する作業を省略することができる。これにより、結束部35が形成された後付け結束部材38を別の工程で予め作成しておけば、取手部４を形成する作業を行なう業者は、（紐を結束する作業が省略される分）作業負担が低減するので、作業時間の短縮と人件費の削減を図ることができる。
【００３０】
また、閉鎖底蓋部６が、底面部７と、底面部７の外周縁に連設されると共に下方開口部５を形成する内周壁面８に貼着領域部９を残して固着される側面部10と、を有し、貼着領域部９と対向する内周壁面８との間に、米を投入可能であると共に米投入後に貼着領域部９と対向する内周壁面８との貼着にて閉鎖される隙間部11を形成するので、隙間部11の形成によって、閉鎖底蓋部６の底面部７に開口部が存在しないようにすることができるので、底面部７に開口部が存在する場合と比較して、米袋内部に収納された米の重量が加わる閉鎖底蓋部６の強度を向上させることができる。
【００３１】
また、閉鎖底蓋部６は、米を支持する補強支持蓋部14と、展開使用状態で補強支持蓋部14に外側から貼着されて下方開口部５を塞ぐ外蓋部19と、を有し、補強支持蓋部14は、袋本体１の下面側全体に広がる支持面部20と、支持面部20の所定部分をコの字状に切欠いた部分の内側に形成される開閉自在な折曲げ扉21と、を有するので、折畳未使用状態の米袋内部に折曲げ扉21を折り曲げてできた開口部から米を投入する際、折曲げ扉21が米を米袋内部へ導くガイドの機能を有するように構成することができる。これにより、折畳未使用状態の米袋内部に米を投入して小売り用の米袋とする際に、米袋の外へ米がこぼれることがないので、より容易に作業を行なうことができる。また、袋本体１の下面側全体に広がる支持面部20の所定部分をコの字状に切欠いて折曲げ扉21を形成するので、折曲げ扉21を閉じて支持面部20に外蓋部19を貼着する際に、粘着部分に米がひっつくことなく外蓋部19を支持面部20に貼着させることができる。また、折曲げ扉21の周囲部分が、米の重量を余裕をもって支持する補強の役目をするように構成することができる。
【００３２】
また、閉鎖底蓋部６が、谷折り状に折り畳まれる袋本体１の袋側面12の動きに追従して折畳み可能とするための折曲溝部13を有するので、米袋を折畳未使用状態とする場合に、折曲溝部13を設けない場合と比較して、閉鎖底蓋部６を容易に折り曲げることができる。また、閉鎖底蓋部６が例えばプラスチック製等の紙よりも硬い材質にて形成されている場合に、効果的に閉鎖底蓋部６を折り曲げることができる。これにより、米袋が折畳未使用状態である場合に、米袋の厚みを小さくすることができ、米袋が嵩張らないようにすることができる。その結果、保管が容易な米袋とすることができる。
【００３３】
また、袋本体１と略同一寸法のプラスチック製内袋33を、袋本体１内部に設けて二重袋構造とし、かつ、プラスチック製内袋33は、上部側が閉鎖され下部側が内袋開口部31を有するように上下逆に袋本体１内部に設けられているので、（紙で形成された米袋の）水分が米に付着したり、逆に米が過度に乾燥するのを防止することができ、米の品質を保持することができる。
【図面の簡単な説明】
【００３４】
【図１】本発明の第一の実施の形態に係る米袋の展開使用状態を示す斜視図である。
【図２】使用状態を示す斜視図である。
【図３】本発明の第一実施形態に係る米袋の折畳未使用状態を示す斜視図である。
【図４】米袋の底部の要部拡大斜視図である。
【図５】本発明の第一実施形態に係る米袋を示す図であって、（Ａ）は底面図、（Ｂ）は要部底面図である。
【図６】本発明の第二実施形態に係る米袋の底部の要部拡大斜視図である。
【図７】要部拡大斜視図である。
【図８】本発明の第三実施形態に係る米袋の底部の要部拡大斜視図である。
【図９】要部拡大斜視図である。
【図１０】本発明の第四実施形態に係る米袋の底部の要部拡大斜視図である。
【図１１】本発明の第五実施形態に係る米袋の底部の要部拡大斜視図である。
【図１２】本発明の第六実施形態に係る米袋の後付け結束部材付設時の要部拡大斜視図である。
【図１３】本発明の第六実施形態に係る米袋の上部の要部拡大斜視図である。
【図１４】本発明の第一実施形態に係る米袋の上部の要部拡大斜視図である。
【図１５】本発明の第六実施形態に係る米袋の底部の要部拡大斜視図である。
【図１６】本発明の第六実施形態に係る米袋の組立説明用要部拡大斜視図である。
【図１７】取手部の他の形状を示す米袋の斜視図である。
【符号の説明】
【００３５】
１  袋本体
２  上方開口部
３  紐
４  取手部
５  下方開口部
６  閉鎖底蓋部
７  底面部
８  内周壁面
９  貼着領域部
10  側面部
11  隙間部
12  袋側面
13  折曲溝部
14  補強支持蓋部
15  米支持面
16  係合壁面部
19  外蓋部
20  支持面部
21  折曲げ扉
31  内袋開口部
33  プラスチック製内袋
35  結束部
37  短紐
38  後付け結束部材
【図１】
2006199370.tif 000003
【図２】
2006199370.tif 000004
【図３】
2006199370.tif 000005
【図４】
2006199370.tif 000006
【図５】
2006199370.tif 000007
【図６】
2006199370.tif 000008
【図７】
2006199370.tif 000009
【図８】
2006199370.tif 000010
【図９】
2006199370.tif 000011
【図１０】
2006199370.tif 000012
【図１１】
2006199370.tif 000013
【図１２】
2006199370.tif 000014
【図１３】
2006199370.tif 000015
【図１４】
2006199370.tif 000016
【図１５】
2006199370.tif 000017
【図１６】
2006199370.tif 000018
【図１７】
2006199370.tif 000019